(57)【特許請求の範囲】
【請求項１】
ＬＯＣＫ位置及びＡＣＣ位置に対応する部分にそれぞれ被係止部が設けられ、手動操作によりエンジンを始動・停止させる操作手段と、前記被係止部に係脱可能なアクチュエータと、前記アクチュエータの駆動を制御する制御手段とを備えるエンジン始動装置の操作規制機構において、前記操作手段が前記ＬＯＣＫ位置にあるときに、前記制御手段は、車両から送信されたリクエスト信号に応答して携帯機から送信された送信信号に含まれるＩＤコードと、前記制御手段に予め設定されたＩＤコードとが一致したことを条件として前記アクチュエータを駆動することにより、前記ＬＯＣＫ位置に対応する前記被係止部との係合を解除して前記操作手段によるエンジンの始動を可能にするとともに、前記操作手段が前記ＡＣＣ位置にあるときに、前記制御手段は、車両の停止状態が検出されたことを条件として前記アクチュエータを駆動することにより、前記ＡＣＣ位置に対応する前記被係止部との係合を解除して前記操作手段を前記ＬＯＣＫ位置に切替操作可能にしたエンジン始動装置の操作規制機構。
【請求項２】
前記操作手段は所定の軸線回りに回動操作することでＡＣＣ位置とＬＯＣＫ位置とに切り替えるものであって、同操作手段はその軸線方向に沿って移動可能である請求項１に記載のエンジン始動装置の操作規制機構。
【請求項３】
前記制御手段は、車両の自動変速機のシフトレンジが停車レンジにあるときに車両の停止状態を検出する請求項１または請求項２に記載のエンジン始動装置の操作規制機構。
【請求項４】
前記アクチュエータは、非通電時に前記被係止部に係合した状態を保持するとともに、通電時に前記被係止部との係合を解除するソレノイドである請求項１〜請求項３のうちいずれか一項に記載のエンジン始動装置の操作規制機構。
【発明の詳細な説明】
【０００１】
【発明の属する技術分野】
本発明は、エンジン始動装置の操作規制機構に関するものである。
【０００２】
【従来の技術】
従来から、自動車の安全性向上のために、走行時でのキー抜けを防止することによりステアリングロック装置の作動を制限するインターロック機構が用いられている。インターロック機構が電気式である場合、同インターロック機構にはキーの抜き差しを許可・禁止するためのキーインターロック用ソレノイドが設けられている。
【０００３】
また、自動車の盗難防止性への要求が高まってきており、その問題を解決するために様々な機構が提案されている。例えば、携帯機側のＩＤコードと車両側のＩＤコードとが一致したときに、イグニッションスイッチに対する操作を有効化してエンジンの始動を許可するスマートイグニッション装置がある。スマートイグニッション装置には、スタータノブの操作を許可・禁止するためのノブロック用ソレノイドが設けられている。このスマートイグニッション装置はメカキーよりも秘匿性に優れたＩＤコードを用いるものであるため、スマートイグニッション装置が装着されていない場合に比べて車両の盗難防止性を高めることができる。
【０００４】
しかしながら、スマートイグニッション装置を備えた車両は徐々に増加しつつあるが、現状ではスマートイグニッション装置を備えていない車両に比べて圧倒的に少ないため、製造コストの低減は困難である。その問題を解決する案の１つに、例えばエンジン始動装置全体を覆うカバー（ロックボディ）を、スマートイグニッション装置を備える車両とスマートイグニッション装置を備えない車両とに共用することが考えられる。
【０００５】
【発明が解決しようとする課題】
ところが、電気式のキーインターロック機構にスマートイグニッション装置を付加すると、キーインターロック用ソレノイドだけでなくノブロック用ソレノイドも設けられる。この場合、両ソレノイドの設置スペースが必要になるため、エンジン始動装置全体が大型化してしまう。
【０００６】
しかも、２つのソレノイドが必要となるため、エンジン始動装置を収容するロックボディに既存のものを用いることができない。ゆえに、２種類の専用ロックボディが必要となるため、エンジン始動装置の製造コストを低減できない。
【０００７】
本発明は上記の課題に鑑みてなされたものであり、その目的は、小型化及び製造コストの低減が可能なエンジン始動装置の操作規制機構を提供することにある。
【０００８】
【課題を解決するための手段】
上記目的を達成するために、請求項１に記載の発明は、ＬＯＣＫ位置及びＡＣＣ位置に対応する部分にそれぞれ被係止部が設けられ、手動操作によりエンジンを始動・停止させる操作手段と、前記被係止部に係脱可能なアクチュエータと、前記アクチュエータの駆動を制御する制御手段とを備えるエンジン始動装置の操作規制機構において、前記操作手段が前記ＬＯＣＫ位置にあるときに、前記制御手段は、車両から送信されたリクエスト信号に応答して携帯機から送信された送信信号に含まれるＩＤコードと、前記制御手段に予め設定されたＩＤコードとが一致したことを条件として前記アクチュエータを駆動することにより、前記ＬＯＣＫ位置に対応する前記被係止部との係合を解除して前記操作手段によるエンジンの始動を可能にするとともに、前記操作手段が前記ＡＣＣ位置にあるときに、前記制御手段は、車両の停止状態が検出されたことを条件として前記アクチュエータを駆動することにより、前記ＡＣＣ位置に対応する前記被係止部との係合を解除して前記操作手段を前記ＬＯＣＫ位置に切替操作可能にしたことを要旨とする。
【０００９】
請求項２に記載の発明は、請求項１に記載の発明において、前記操作手段は所定の軸線回りに回動操作することでＡＣＣ位置とＬＯＣＫ位置とに切り替えるものであって、同操作手段はその軸線方向に沿って移動可能であることを要旨とする。
【００１０】
請求項３に記載の発明は、請求項１または請求項２に記載の発明において、前記制御手段は、車両の自動変速機のシフトレンジが停車レンジにあるときに車両の停止状態を検出することを要旨とする。
【００１１】
請求項４に記載の発明は、請求項１〜請求項３のうちいずれか一項に記載の発明において、前記アクチュエータは、非通電時に前記被係止部に係合した状態を保持するとともに、通電時に前記被係止部との係合を解除するソレノイドであることを要旨とする。
【００１２】
以下、本発明の「作用」について説明する。
請求項１に記載の発明によれば、アクチュエータは、操作手段がＬＯＣＫ位置にあるときに操作手段によるエンジンの始動を可能にする。さらにアクチュエータは、操作手段がＡＣＣ位置にあるときに操作手段をＬＯＣＫ位置に切替操作可能にする。ゆえに、操作手段がＬＯＣＫ位置及びＡＣＣ位置のどちらにあるときも、操作手段を操作可能にするために駆動させるアクチュエータは同じもので済むため、アクチュエータの設置スペースを小さくすることができる。よって、エンジン始動装置を小型化できるとともに、衝突安全性を向上させることができる。
【００１３】
また、スマートイグニッション装置を付加しても、エンジン始動装置は１つのアクチュエータしか必要としない。そのため、エンジン始動装置を収容するロックボディに、既存のエンジン始動装置に用いられているものと同じものを用いることができる。ゆえに、エンジン始動装置の製造コストを低減できる。
【００１４】
請求項２に記載の発明によれば、操作手段はその軸線方向に沿って移動可能になっている。そのため、操作手段を軸線方向に操作する時間内に、アクチュエータの駆動が開始されてから完了するまでのタイムラグが吸収され、アクチュエータと被係止部との係合が確実に解除される。したがって、操作手段を素早く操作した場合に、操作手段がアクチュエータに引っ掛かってしまうのを防止できる。
【００１５】
請求項３に記載の発明によれば、車両に自動変速機が搭載されている場合、シフトレンジが停車レンジにあることを条件として車両の停止状態が検出され、操作手段がＬＯＣＫ位置に切替操作可能になる。したがって、車両の安全性が向上する。
【００１６】
請求項４に記載の発明によれば、ソレノイドは非通電時に被係止部に係合した状態を保持する。そのため、バッテリーが上がったときにはソレノイドと被係止部との係合が解除されないため、操作手段を操作できなくなる。ゆえに、車両の盗難防止性を向上できる。また、ソレノイドは被係止部との係合を解除するときにだけ通電するため、ソレノイドに通電時間の短い、いわゆる短時間定格品を用いることが可能になり、ソレノイドの小型化を図ることができる。
【００１７】
【発明の実施の形態】
以下、本発明を具体化したエンジン始動装置の操作規制機構の一実施形態を図１〜図５を参照して説明する。
【００１８】
図１に示すように、エンジン始動装置１１は金属製のシリンダ１３を有している。シリンダ１３の下側面にはイモビアンプ１７が取り付けられている。シリンダ１３には、図１において左右方向に延びる貫通孔１４が設けられている。また、シリンダ１３には取付部１５及び収容部１６が設けられている。収容部１６はプランジャ挿通孔１６ａを介して貫通孔１４に連通している。
【００１９】
貫通孔１４内には棒状のカムシャフト２１が収容されている。カムシャフト２１の一端には、操作手段としてのスタータノブ２２が接続されている。スタータノブ２２にはつまみ部２２ａが設けられている。このつまみ部２２ａを把持した状態でスタータノブ２２を回動させることにより、カムシャフト２１が回動してエンジンが始動・停止するようになっている。また、つまみ部２２ａを押圧することにより、スタータノブ２２が同スタータノブ２２の軸線方向に移動するようになっている。
【００２０】
また、図１及び図２に示すように、カムシャフト２１にはカム部３１が外嵌されている。図２に示すように、カム部３１の外周面には、被係止部３２ａ，３２ｂがそれぞれ設けられている。被係止部３２ｂの周方向に沿った長さは、被係止部３２ａの周方向に沿った長さよりも大きくなっている。被係止部３２ａはスタータノブ２２のＬＯＣＫ位置に対応している。被係止部３２ｂはスタータノブ２２のＬＯＣＫ位置以外の位置（ＡＣＣ位置、ＯＮ位置及びＳＴＡＲＴ位置）に対応している。
【００２１】
図１に示すように、前記取付部１５には、アクチュエータとしてのソレノイド４１がネジ止めされている。ソレノイド４１内にはプランジャ４２が収容されている。また、前記収容部１６内には、ストッパピン４３が上下方向に沿って延設されている。ストッパピン４３は、収容部１６から図１，図２の上下方向に沿って移動可能になっている。ストッパピン４３は、バネ４４によって図２における上側方向に常に付勢されるようになっている。
【００２２】
また、図２に示すように、ソレノイド４１は、ストッパピン４３を被係止部３２ａまたは被係止部３２ｂから係脱させるようになっている。具体的にいうと、ソレノイド４１は、非通電時に被係止部３２ａまたは被係止部３２ｂに係合した状態を保持し、通電時に被係止部３２ａまたは被係止部３２ｂとの係合を解除するようになっている。そして、図２に示すように、カムシャフト２１がＬＯＣＫ位置にある場合、ストッパピン４３は被係止部３２ａに係止されるようになっている。また、図５（ｃ）に示すように、カムシャフト２１がＡＣＣ位置にある場合、ストッパピン４３は被係止部３２ｂに係止されるようになっている。
【００２３】
次に、エンジン始動装置１１の電気的な構成を図３，図４に基づいて説明する。
図３に示すように、携帯機５１は、受信回路５２、マイクロコンピュータ（マイコン）５３、送信回路５４及びトランスポンダ制御部５５を備えている。
【００２４】
受信回路５２は、後記する通信制御装置６１からのリクエスト信号を受信して、その信号をマイコン５３に入力するための回路である。マイコン５３は、受信回路５２からのリクエスト信号が入力されたときに、予め設定された所定のＩＤコードを含む送信信号としてのＩＤコード信号を出力するための回路である。送信回路５４は、そのＩＤコード信号を所定周波数の電波に変調して外部に送信するための回路である。なお、受信回路５２及び送信回路５４にはアンテナ５２ａ，５４ａがそれぞれ接続されている。
【００２５】
また、トランスポンダ制御部５５は、電磁波によって十分なエネルギを受けると、予め設定されたトランスポンダ用のＩＤコードを含むトランスポンダ信号を出力するようになっている。詳しくは、このトランスポンダ制御部５５は、通信制御装置６１からのトランスポンダ駆動電波を受信すると、所定周波数のトランスポンダ信号を自動的に出力するようになっている。
【００２６】
一方、通信制御装置６１は車両に搭載されるものである。通信制御装置６１は、送信回路６２、第１受信回路６３、第２受信回路６４、切換回路６５及び制御手段を構成するスマートＥＣＵ６６を備えている。
【００２７】
スマートＥＣＵ６６には、第１受信回路６３、送信回路６２及び第２受信回路６４が接続されている。そして、第１受信回路６３にはアンテナ６３ａが接続されている。また、送信回路６２及び第２受信回路６４には切換回路６５が接続され、同切換回路６５には前記イモビアンプ１７及びアンテナ１７ａが接続されている。この切換回路６５は、イモビアンプ１７及びアンテナ１７ａを、送信回路６２及び第２受信回路６４に選択的に接続するための回路である。イモビアンプ１７は、アンテナ１７ａによって受信されたトランスポンダ信号を増幅して第２受信回路６４に出力するためのものである。
【００２８】
第１受信回路６３は、携帯機５１から出力されたＩＤコード信号をアンテナ６３ａを介して受信して、そのＩＤコード信号をパルス信号に復調して第１受信信号を生成するようになっている。それとともに、第１受信回路６３は、その第１受信信号をスマートＥＣＵ６６へ出力するようになっている。
【００２９】
送信回路６２には、車両室内に取り付けられたアンテナ６２ａが接続されている。送信回路６２は、アンテナ６２ａを介して車両室内にリクエスト信号を出力するようになっている。また、送信回路６２は、スマートＥＣＵ６６から出力されるトランスポンダ信号を所定周波数の電波に変換してトランスポンダ駆動電波を生成し、アンテナ１７ａを介して出力するようになっている。
【００３０】
第２受信回路６４は、アンテナ１７ａを介して携帯機５１からのトランスポンダ信号を受信することができるようになっている。この第２受信回路６４は、そのトランスポンダ信号をパルス信号に復調して第２受信信号を生成するとともに、その第２受信信号をスマートＥＣＵ６６へ出力するようになっている。
【００３１】
また、スマートＥＣＵ６６には、制御手段を構成するシフトロックＥＣＵ８１が接続されている。シフトロックＥＣＵ８１は、車両の自動変速機のシフトレンジが停車レンジ（パーキングポジション）にあることと、自動変速機の操作レバーに設けられたシフトボタンが押圧されていないこととを検出するようになっている。それにより、シフトロックＥＣＵ８１は車両の停止状態を検出し、スマートＥＣＵ６６に車両停止信号を出力するようになっている。
【００３２】
さらに、スマートＥＣＵ６６には、制御手段を構成するアクチュエータ駆動制御手段としてのソレノイド駆動ＥＣＵ７１が接続されている。ソレノイド駆動ＥＣＵ７１には前記ソレノイド４１が接続されている。ソレノイド駆動ＥＣＵ７１及びソレノイド４１は、閉鎖された筐体としてのロックボディ１２内に収容されている。ソレノイド駆動ＥＣＵ７１はソレノイド４１の駆動を制御するようになっている。図４に示すように、ソレノイド４１の駆動電源はスマートＥＣＵ６６から供給されている。なお、ロックボディ１２によって閉鎖された部分は、外部からの攻撃に対してソレノイド駆動ＥＣＵ７１及びソレノイド４１を保護するハードプロテクトエリア８２をなしている。
【００３３】
図４に示すように、ソレノイド駆動ＥＣＵ７１はＣＰＵ７２を備えたＣＰＵユニットである。ＣＰＵ７２は、抵抗Ｒ１を介してトランジスタ７４のベース端子に接続されている。また、ＣＰＵ７２とスマートＥＣＵ６６との間は、電源線７５及び信号線７３によって接続されている。電源線７５はＣＰＵ７２に駆動電源を供給するためのものである。信号線７３は、暗号化された状態のＩＤコード同士が一致したか否かの情報をスマートＥＣＵ６６からＣＰＵ７２にシリアル通信するためのものである。
【００３４】
また、スマートＥＣＵ６６は、具体的には図示しないＣＰＵ、ＲＯＭ、ＲＡＭからなるＣＰＵユニットであり、リクエスト信号を間欠的に出力する。また、スマートＥＣＵ６６には予め設定された所定のＩＤコードが記憶されており、前記第１受信信号または前記第２受信信号が入力されたときには、自身のＩＤコードと第１受信信号または第２受信信号に含まれるＩＤコードとを比較する。そして、それらＩＤコード同士が一致したときに、スマートＥＣＵ６６はＣＰＵ７２に対して作動信号を出力し、ＣＰＵ７２はトランジスタ７４に作動信号を出力してソレノイド４１を通電状態にする。
【００３５】
詳しくは、スタータノブ２２がＬＯＣＫ位置にあるときに、携帯機５１からのＩＤコード信号がアンテナ６２ａから出力されたリクエスト信号に応答したものであれば、スマートＥＣＵ６６は携帯機５１が車両室内にあるものと判断してソレノイド４１を５秒間作動させる。また、携帯機５１の電源が弱くなったときやスタータノブ２２の操作に戸惑った場合、図１に示すように携帯機５１をつまみ部２２ａ内に挿入する。そのとき、携帯機５１からのトランスポンダ信号がトランスポンダ駆動電波に応答したものであれば、スマートＥＣＵ６６はソレノイド４１を５秒間作動させる。
【００３６】
その結果、図５（ａ）に示すように、プランジャ４２が作動してストッパピン４３と被係止部３２ａとの係合が解除され、前記スタータノブ２２が回動可能となる。そして、この状態でスタータノブ２２を軸線方向に押圧操作した後、スタータノブ２２を回動操作すると、スタータノブ２２がＡＣＣ位置に切り替えられ（図５（ｂ）に図示）、ストッパピン４３が被係止部３２ｂに係合する（図５（ｃ）に図示）。なお、スタータノブ２２の軸線方向への押圧操作は、乗車後直ちにエンジンを始動しなかった場合等、ＩＤコードの照合が終了していない場合に、再びＩＤコードの照合を促すことで、スタータノブ２２の回動操作を確実にするために行われている。このとき、図５（ｃ），（ｄ）に示すように、スタータノブ２２をＡＣＣ位置からＳＴＡＲＴ位置に回動させることは可能であるため、図示しないスタータリレーを導通させて図示しないスタータモータを駆動することにより、エンジンを始動させることができる。つまり、エンジン始動装置１１はスマートイグニッション装置として機能するようになっている。
【００３７】
また、ソレノイド駆動ＥＣＵ７１は、スタータノブ２２がＡＣＣ位置にあるときに、車両の停止状態が検出されたことを条件としてソレノイド４１を駆動するようになっている。詳しくは、ＣＰＵ７２は、シフトロックＥＣＵ８１からの前記車両停止信号に基づいてトランジスタ７４に作動信号を出力し、ソレノイド４１を通電状態にする。その結果、図５（ｂ）に示すように、プランジャ４２が作動してストッパピン４３と被係止部３２ｂとの係合が解除され、スタータノブ２２が回動可能となる。そして、この状態でスタータノブ２２を軸線方向に押圧操作した後に回動操作すると、スタータノブ２２がＬＯＣＫ位置に切り替えられる。そして、図２に示すように、ストッパピン４３が被係止部３２ａに係合してスタータノブ２２の回動が禁止される。つまり、エンジン始動装置１１はキーインターロック機構として機能するようになっている。
【００３８】
本実施形態によれば、以下のような効果を得ることができる。
（１）ソレノイド４１は、スタータノブ２２がＬＯＣＫ位置にあるときにスタータノブ２２によるエンジンの始動を可能にする。さらにソレノイド４１は、スタータノブ２２がＡＣＣ位置にあるときにスタータノブ２２をＬＯＣＫ位置に切替操作可能にする。ゆえに、スタータノブ２２がＬＯＣＫ位置及びＡＣＣ位置のどちらにあるときも、スタータノブ２２を操作可能にするために駆動させるソレノイド４１は同じもので済むため、ソレノイド４１の設置スペースを小さくすることができる。よって、エンジン始動装置１１を小型化できるとともに、衝突安全性を向上させることができる。
【００３９】
また、既存の車両にスマートイグニッション装置を付加しても、エンジン始動装置１１は１つのソレノイド４１しか必要としない。そのため、エンジン始動装置１１を収容するロックボディ１２に、既存のエンジン始動装置１１に用いられているものと同じものを用いることができる。ゆえに、エンジン始動装置１１の製造コストを低減できる。
【００４０】
（２）スタータノブ２２はその軸線方向に沿って押圧操作可能になっている。そのため、スタータノブ２２を軸線方向に押圧操作する時間内に、ソレノイド４１の駆動が開始されてから完了するまでのタイムラグが吸収され、ストッパピン４３と被係止部３２ａまたは被係止部３２ｂとの係合が確実に解除される。したがって、スタータノブ２２を素早く操作した場合に、スタータノブ２２がソレノイド４１に引っ掛かってしまうのを防止できる。
【００４１】
（３）車両に自動変速機が搭載されている場合、シフトレンジが停車レンジにあることによって車両の停止状態が検出される。しかも、自動変速機の操作レバーに設けられたシフトボタンが押圧されていないことによっても車両の停止状態が検出される。そして、車両の停止状態が検出されたときに、スタータノブ２２がＬＯＣＫ位置に切替操作可能になる。ゆえに、車両の走行時にはスタータノブ２２をＬＯＣＫ位置に回動することができない。したがって、車両の安全性が確実に向上する。
【００４２】
（４）ソレノイド４１は非通電時に被係止部３２ａまたは被係止部３２ｂに係合した状態を保持する。そのため、バッテリーが上がったときにはソレノイド４１と被係止部３２ａまたは被係止部３２ｂとの係合が解除されないため、スタータノブ２２を操作できなくなる。ゆえに、車両の盗難防止性を向上できる。また、ソレノイド４１は被係止部３２ａまたは被係止部３２ｂとの係合を解除するときにだけ通電するため、ソレノイド４１に通電時間の短い、いわゆる短時間定格品を用いることが可能になり、ソレノイド４１の小型化を図ることができる。
【００４３】
（５）ソレノイド４１と、ＣＰＵ７２を有するソレノイド駆動ＥＣＵ７１とが、閉鎖されたロックボディ１２内に設けられている。そのため、電源線７５に電流を流されても、その電流がＣＰＵ７２を備えていない場合のようにトランジスタ７４に直接流れてしまうことはないので、トランジスタ７４の作動が防止される。すなわち、ソレノイド４１が駆動してスタータノブ２２が回動可能になってしまうのを防止することができる。ゆえに、他人にエンジンを始動されてしまうのを防止できる。したがって、車両の盗難防止性をより確実に向上できる。
【００４４】
なお、本実施形態は以下のように変更してもよい。
・前記実施形態では、スタータノブ２２はその軸線方向に沿って押圧操作することが可能になっていた。しかし、スタータノブ２２をその軸線方向に沿って引っ張り操作するようにしてもよい。
【００４５】
・車両の停止状態を、シフトレンジが停車レンジにあるとき及びシフトボタンが押圧されていないときのうちいずれか一方の条件下において検出するようにしてもよいし、他の条件下において検出するようにしてもよい。例えば、車速センサが時速０ｋｍを示しているときに車両の停止状態を検出するようにしてもよい。
【００４６】
・前記実施形態において、ソレノイド４１は、通電時において被係止部３２ａまたは被係止部３２ｂに係合した状態を保持し、非通電時において被係止部３２ａまたは被係止部３２ｂとの係合を解除するようになっていてもよい。
【００４７】
・前記実施形態において、ソレノイド４１をアクチュエータとして用いる代わりに、例えばモータをアクチュエータとして用いてもよい。この場合、例えば、モータの軸にピニオンギヤが取り付けられるとともに、ストッパピン４３にピニオンギヤに噛み合うラックギヤが同ストッパピン４３の長手方向に沿って設けられる。そして、モータを駆動させたときにストッパピン４３が駆動し、ストッパピン４３が被係止部３２ａまたは被係止部３２ｂに対して係脱する。
【００４８】
次に、上記実施形態及び別例によって把握される技術的思想を以下に記載する。
（１）請求項３において、前記制御手段は、前記シフトレンジを変更するための操作レバーに設けられたシフトボタンが押圧されていないときに、車両の停止状態を検出するエンジン始動装置の操作規制機構。よって、技術的思想（１）によれば、車両の安全性がより確実に向上する。
【００４９】
（２）請求項１〜４、技術的思想（１）のいずれか一項において、前記アクチュエータと、同アクチュエータの駆動を制御するアクチュエータ駆動制御手段とが、閉鎖された筐体内に設けられているエンジン始動装置の操作規制機構。よって、技術的思想（２）によれば、車両の盗難防止性をより確実に向上できる。
【００５０】
【発明の効果】
以上詳述したように、請求項１に記載の発明によれば、エンジン始動装置を小型化できるとともに、衝突安全性を向上させることができる。また、エンジン始動装置の製造コストを低減できる。
【００５１】
請求項２に記載の発明によれば、操作手段を素早く操作した場合に、操作手段がアクチュエータに引っ掛かってしまうのを防止できる。
請求項３に記載の発明によれば、車両の安全性が向上する。
【００５２】
請求項４に記載の発明によれば、車両の盗難防止性を向上できる。また、ソレノイドに通電時間の短い、いわゆる短時間定格品を用いることが可能になり、ソレノイドの小型化を図ることができる。
【図面の簡単な説明】
【図１】  本実施形態におけるエンジン始動装置の断面図。
【図２】  図１のＡ−Ａ線断面図。
【図３】  エンジン始動装置の電気的構成を示すブロック図。
【図４】  エンジン始動装置の回路図。
【図５】  （ａ）〜（ｄ）は、ソレノイド及びカムシャフトの動きを示す説明図。
【符号の説明】
１１…エンジン始動装置、２２…操作手段としてのスタータノブ、３２ａ，３２ｂ…被係止部、４１…アクチュエータとしてのソレノイド、５１…携帯機、６６…制御手段を構成するスマートＥＣＵ、７１…制御手段を構成するソレノイド駆動ＥＣＵ、８１…制御手段を構成するシフトロックＥＣＵ。
【図１】
0003878515.tif 000002
【図２】
0003878515.tif 000003
【図３】
0003878515.tif 000004
【図４】
0003878515.tif 000005
【図５】
0003878515.tif 000006